(57)【要約】【課題】コネクタを容易に着脱でき、コネクタの緩みや抜けを防止し得る配線支持構造を、サイズを大きくすることなく提供する。【解決手段】レセプタクル１１が配列される台座部１２をひな壇状とすることにより、奥側のコネクタ操作を容易にする。またレセプタクル１１を千鳥状に配列し、コネクタ１０の配置間隔を効率良く拡大する。また、レセプタクル１１が配列される取付板３に、スライド用長穴５を形成し、スライドピン４を介して各取付板３を連結することにより取付板３を互いにスライド可動させるようにする。さらに、各取付板３に切り欠き６、７を形成し、隣接する取付板３に取り付けられるコネクタ１０が互いに邪魔にならないようにして取付板３のスライド量を確保する。【選択図】　　　図１
2004032843.tif 000002
【特許請求の範囲】
【請求項１】
配線部材に設けられるコネクタに嵌合される複数のレセプタクルを配列する配線支持構造において、
前記複数のレセプタクルを複数組に組分けした場合に、各組のレセプタクルが長手方向に配列される複数の支持部材と、
この複数の支持部材をそれぞれ他の支持部材と摺動可能に連結固定するスライド機構とを具備することを特徴とする配線支持構造。
【請求項２】
前記複数の支持部材がそれぞれ他の支持部材と連結された状態において各支持部材における前記レセプタクルの配列面によりひな壇を形成すべく、前記複数の支持部材を形成することを特徴とする請求項１に記載の配線支持構造。
【請求項３】
前記スライド機構は、前記支持部材を前記レセプタクルの配列面に対して平行にスライドさせることを特徴とする請求項１に記載の配線支持構造。
【請求項４】
互いに隣接する支持部材において、当該支持部材の長手方向に対して異なる位置に前記レセプタクルを配列することを特徴とする請求項３に記載の配線支持構造。
【請求項５】
前記複数のレセプタクルを、千鳥状に配列することを特徴とする請求項４に記載の配線支持構造。
【請求項６】
前記支持部材に、隣接する他の支持部材に配列されるレセプタクルに対応する位置に切り欠き部を形成することを特徴とする請求項１乃至５のいずれかに記載の配線支持構造。
【請求項７】
前記スライド機構は、前記支持部材を前記レセプタクルの配列面に対して垂直にスライドさせることを特徴とする請求項１に記載の配線支持構造。
【発明の詳細な説明】
【０００１】
【発明の属する技術分野】
本発明は、電子機器筐体に設けられるコネクタにケーブルを接続するための配線支持構造に関する。
【０００２】
【従来の技術】
例えば無線基地局装置などの電子機器においては、内部配線の増設あるいは撤去が頻繁に実施されるため、機器の拡張を見越して予め多数の配線の余地を確保する必要がある。このようなニーズにおいては、コネクタ付きのケーブルを介して配線を行なうのが一般的である。
【０００３】
図１０は、電子機器の筐体内部に形成される従来の配線支持構造を示す図である。図１０（ａ）はその上面図であり、コネクタ１０を有するケーブル９が電子機器に接続され、ケーブル９が紙面手前に延びている状態を示す。図１０（ｂ）は正面図であり、千鳥状に配列される複数のコネクタ座（以下レセプタクルと称する）１１に、それぞれコネクタ１０を介してケーブル９が接続される状態を示す。各ケーブル９は、電子機器筐体の上部などに設けられる配線引出し穴８から引き出される。図１０（ｃ）は側面図であり、レセプタクル１１が形成される台座部１２はひな壇状に形成される。このように、各レセプタクル１１を千鳥状に配列し、レセプタクル１１が形成される台座部１２をひな壇状に形成することで配線の収容効率を高めることができる。
【０００４】
ところで、上記構成においてケーブル９を着脱するには、配線引出し穴８から取扱者が手を挿し入れ、コネクタ１０を手掴みで取り付けるか、あるいは取り外すようにする。その際、手前側のコネクタ１０やケーブル９が邪魔になり、奥に行くに従ってコネクタ１０の着脱操作がしにくくなる場合がある。これを改善するためレセプタクル１１の配置間隔を広げると、図１１（ａ）の正面図および図１１（ｂ）の側面図に示されるように台座部１２が縦に長く（Ｌ＜Ｌ１）なり、ひいては機器筐体の大型化をもたらすので好ましくない。
【０００５】
また、ケーブル９の着脱時にケーブル９，コネクタ１０あるいは操作者の手が干渉し合うと、他のコネクタ１０が緩んだり、抜けたりすることがある。この不具合を解決するにはコネクタ１０にロック機能を設けなくてはならず、コストの面からも不利になる。
【０００６】
【発明が解決しようとする課題】
このように従来の配線支持構造は着脱しようとするコネクタ以外のコネクタやケーブルが邪魔になり、コネクタの着脱操作がし難いという不具合を有する。また操作者の手が他のコネクタ、ケーブルと干渉し、コネクタが抜け易いという不具合を有する。
【０００７】
本発明は上記事情によりなされたもので、その目的は、コネクタを容易に着脱でき、コネクタの緩みや抜けを防止し得る配線支持構造を、サイズを大きくすることなく提供することにある。
【０００８】
【課題を解決するための手段】
上記目的を達成するために本発明は、配線部材に設けられるコネクタに嵌合される複数のレセプタクルを配列する配線支持構造において、前記複数のレセプタクルを複数組に組分けした場合に、各組のレセプタクルが長手方向に配列される複数の支持部材と、この複数の支持部材をそれぞれ他の支持部材と摺動可能に連結固定するスライド機構とを具備することを特徴とする。
【０００９】
このような手段を講じたことにより、レセプタクルが配置される取付板などの支持部材を、スライド機構により互いにスライド可動させることができる。よって、着脱しようとするコネクタの近傍の作業領域を広く取ることができるようになり、コネクタの着脱が容易になるとともに干渉を防止してコネクタの緩みや抜けを防止できる。さらにスライド機構により、作業スペースだけを拡大することができるので、全体のサイズが大きくなることもない。
【００１０】
【発明の実施の形態】
以下、図面を参照して本発明の実施の形態を詳細に説明する。
（第１の実施形態）
図１は、本発明に係わる配線支持構造の第１の実施形態を示す斜視図である。この配線支持構造は、複数の配線を収容するために電子機器筐体１の内部に設けられる。図１の台座部１２は、複数の取付板３を摺動可能に連結して形成される。すなわち、各取付板３にはその長手方向両端にスライド用長穴５が形成され、固定機能付きのスライドピン４を介して連結されることにより互いにスライド可動する。
【００１１】
スライドピン４は例えばネジ機構などにより、必要に応じて緩められるようにしておくと良い。なお、台座部１２の両端に位置する取付板３は、電子機器筐体１に固定される。
【００１２】
各取付板３は１枚のスチール板を長手方向で互いに逆に折り曲げた形状に形成され、これらを連結することによりひな壇が形成される。ひな壇の奥行きを２ａ、高さを２ｂとする。
【００１３】
各取付板３にはレセプタクル１１が配列され、レセプタクル１１にコネクタ１０が嵌合される。図１に示されるコネクタ１０は折り曲げ型で、このコネクタ１０から延びるケーブル９は配線引き出し穴８から引き出される。
【００１４】
さらに、各取付板３には隣接する取付板３に取り付けられたコネクタ１０と組み合う部分、すなわち隣接する取付板３におけるレセプタクル１１に対応する位置に切り欠き部６、７が形成される。
【００１５】
図２は、図１の配線支持構造の正面図および側面図である。図２（ａ）が正面図を、図２（ｂ）が側面図を示す。図２（ａ）に示されるように、台座部１２において各レセプタクル１１は千鳥状に配置される。すなわち隣接する取付板３において、長手方向に同じ位置にレセプタクル１１を形成しない。さらに、切り欠き部７は、隣接する取付板３に取り付けられるコネクタ１０が組み合う部分に形成される。これにより取付板３のスライド幅を大きくとることができる。
【００１６】
図２（ｂ）に示されるように、ケーブル９はコネクタ１０を介してレセプタクル１１に接続され、まっすぐ上に引き出して筐体上部の配線引出し穴８から引き出される。なお、レセプタクル１１には筐体内部において内部配線１３に接続されており、内部配線１３は例えば種々のインタフェース基板などに接続される。内部配線１３は例えばループ状のタルミを持たせるなどして、取付板３のスライド量に応じた長さの余裕を持たせるようにする。
【００１７】
図３は、図１および図２の構成において取付板３をスライドさせた状態を示す図である。図３（ａ）が正面図を、図３（ｂ）が側面図を示す。図３（ａ）に示されるように、コネクタ１０の着脱の際にはスライドピン４の固定を解除して長穴５の範囲で取付板３をスライドさせる。取付板３はレセプタクル１１の配列面に対して平行にスライドすることになる。
【００１８】
このときコネクタ１０やケーブル９は切り欠き６に、隣りのコネクタ１０は切り欠き７に組み合うので、コネクタ１０やケーブル９の干渉を引き起こさずにスライドする量を確保することができる。したがって、着脱しようとするコネクタ１０近傍の作業領域を広くとることができ、コネクタ１０を容易に着脱できるようになる。また干渉を防止して、コネクタ１０の緩みや抜けを防止することができるようになる。
【００１９】
このように本実施形態では、レセプタクル１１が配列される台座部１２をひな壇状とすることにより、奥側のコネクタ操作を容易にする。またレセプタクル１１を千鳥状に配列し、コネクタ１０の配置間隔を効率良く拡大する。また、レセプタクル１１が配列される取付板３に、スライド用長穴５を形成し、スライドピン４を介して各取付板３を連結することにより取付板３を互いにスライド可動させるようにする。さらに、各取付板３に切り欠き６、７を形成し、隣接する取付板３に取り付けられるコネクタ１０が互いに邪魔にならないようにして取付板３のスライド量を確保するようにしている。
【００２０】
このようにしたので、取付板３をスライドさせることにより、作業領域を広く確保できる。この結果、奥側のコネクタ１０の着脱操作が必要である場合でも、該当するコネクタ１０を容易に取り扱える。また着脱操作の際に他のケーブル９がコネクタ１０に干渉することを防ぐことができ、これにより他のコネクタ１０が緩み抜けることを防止することができる。
【００２１】
これらのことから、コネクタを容易に着脱でき、コネクタの緩みや抜けを防止し得る配線支持構造を、サイズを大きくすることなく提供することができる。
【００２２】
（第２の実施形態）
図４は、本発明に係わる配線支持構造の第２の実施形態を示す斜視図である。
【００２３】
なお図４において図１と共通する部分には同一の符号を付して示し、ここでは異なる部分についてのみ説明する。
【００２４】
図４においては、ストレート型のコネクタ１０が使用される。これに応じて、図１〜図３においてはスライド用長穴５と同じ面にレセプタクル１１を配列したのに対し、本実施形態ではスライド用長穴５と別の面にレセプタクル１１を配列するようにする。このような構成であるから、取付板３はレセプタクルの配列面に対して垂直にスライドすることになる。
【００２５】
図５は、図１の配線支持構造の正面図および側面図である。図５（ａ）が正面図を、図５（ｂ）が側面図を示す。図５（ａ）でも、台座部１２において各レセプタクル１１は千鳥状に配列される。図５（ｂ）に示されるように、取付板３は矢印方向にスライドする。
【００２６】
図６は、図４および図５の構成において取付板３をスライドさせた状態を示す図である。図６（ａ）が正面図を、図６（ｂ）が側面図を示す。図６（ａ）および（ｂ）に示されるように、着脱しようとするコネクタ１０が取り付けられた取付板３をスライドさせることにより作業領域を広く取ることができる。
【００２７】
本実施形態の構成においてはコネクタ１０の形状と取付板３のスライド方向により、切り欠き部６，７を設ける必要がない。したがって台座部１２の製造工程を簡易化することができる。
【００２８】
（第３の実施形態）
図７は、本発明に係わる配線支持構造の第３の実施形態を示す斜視図である。
【００２９】
なお図４において図１と共通する部分には同一の符号を付して示し、ここでは異なる部分についてのみ説明する。
【００３０】
図７においてもストレート型のコネクタ１０が使用される。また本実施形態では、スライド用長穴５と同じ面にレセプタクル１１が配列される。よって取付板３はレセプタクル１１の配列面に対して平行にスライドすることになる。
【００３１】
図８は、図７の配線支持構造の正面図および側面図である。図８（ａ）が正面図を、図８（ｂ）が側面図を示す。図８（ａ）でも、台座部１２において各レセプタクル１１は千鳥状に配列される。図８（ｂ）に示されるように、取付板３は矢印方向にスライドする。
【００３２】
図９は、図７および図８の構成において取付板３をスライドさせた状態を示す図である。図９（ａ）が正面図を、図９（ｂ）が側面図を示す。図９（ａ）および（ｂ）に示されるように、着脱しようとするコネクタ１０が取り付けられた取付板３をスライドさせることにより作業領域を広く取ることができる。
【００３３】
本実施形態の構成においては、第１および第２の実施形態と比較して、内部配線１３のタルミを少なくすることができる。すなわち、第１および第２の実施形態では取付板３のスライドにより内部配線１３がその長さ方向に引っ張られるのに対して、本実施形態では内部配線１３がその長さに対して横方向に動くからである。これにより配線上の無駄を必要最小限にすることができる。
【００３４】
なお、本発明は上記実施の形態に限定されるものではない。例えばコネクタ１０を一つずつ着脱するためには、ひな壇状の台座部１２において１段分だけの操作スペースがあれば良い。よって１段分だけの操作スペースを確保しておき、他の段を狭くスライドさせた状態で取付板３を配置することにより、さらなる省サイズ化を図ることができる。これは、コネクタ接続数が多い装置において特に有効である。このほか、本発明の要旨を逸脱しない範囲で種々の変形実施を行うことができる。
【００３５】
【発明の効果】
以上詳述したように本発明によれば、コネクタを容易に着脱でき、コネクタの緩みや抜けを防止し得る配線支持構造を、サイズを大きくすることなく提供することができる。
【図面の簡単な説明】
【図１】本発明に係わる配線支持構造の第１の実施形態を示す斜視図。
【図２】図１の配線支持構造の正面図および側面図。
【図３】図１および図２の構成において取付板３をスライドさせた状態を示す図。
【図４】本発明に係わる配線支持構造の第２の実施形態を示す斜視図。
【図５】図４の配線支持構造の正面図および側面図。
【図６】図４および図５の構成において取付板３をスライドさせた状態を示す図。
【図７】本発明に係わる配線支持構造の第３の実施形態を示す斜視図。
【図８】図７の配線支持構造の正面図および側面図。
【図９】図７および図８の構成において取付板３をスライドさせた状態を示す図。
【図１０】従来の配線支持構造を示す上面図、正面図、および側面図。
【図１１】従来の配線支持構造においてレセプタクル１１の配置間隔を広げることにより生じる不具合を説明するための図。
【符号の説明】
１…電子機器筐体
３…取付板
４…スライドピン
５…スライド用長穴
６、７…切り欠き部
８…配線引出し穴
９…ケーブル
１０…コネクタ
１１…レセプタクル
１２…台座部
１３…内部配線
【図１】
2004032843.tif 000003
【図２】
2004032843.tif 000004
【図３】
2004032843.tif 000005
【図４】
2004032843.tif 000006
【図５】
2004032843.tif 000007
【図６】
2004032843.tif 000008
【図７】
2004032843.tif 000009
【図８】
2004032843.tif 000010
【図９】
2004032843.tif 000011
【図１０】
2004032843.tif 000012
【図１１】
2004032843.tif 000013